(57)【要約】【課題】鉄筋の結束を行う作業者への負担を軽減し、作業効率の向上を図ることのできる鉄筋組立架台を提供すること。【解決手段】複数の鉄筋１を保持するための保持フレーム２と、該保持フレーム２の水平面に対する傾斜角度を変更させるための角度調整装置３とを具備し、前記角度調整装置３は、前記保持フレーム２の下方に配されるベース体８と、該ベース体８の一端部と前記保持フレーム２の一端部とを回動可能に連結するヒンジ部９と、前記ベース体８における前記一端部から他端側に離れた部位と、前記保持フレーム２における前記一端部から他端側に離れた部位とに連結され、伸縮自在な伸縮部１０とを有する。【選択図】図１
2020131644.tif 000002
【特許請求の範囲】
【請求項１】
複数の鉄筋を保持するための保持フレームと、該保持フレームの水平面に対する傾斜角度を変更させるための角度調整装置とを具備したことを特徴とする鉄筋組立架台。
【請求項２】
前記角度調整装置は、前記保持フレームの下方に配されるベース体と、該ベース体の一端部と前記保持フレームの一端部とを回動可能に連結するヒンジ部と、前記ベース体における前記一端部から他端側に離れた部位と、前記保持フレームにおける前記一端部から他端側に離れた部位とに連結され、伸縮自在な伸縮部とを有する請求項１に記載の鉄筋組立架台。
【発明の詳細な説明】
【技術分野】
【０００１】
本発明は、例えば、鉄筋どうしを結束する鉄筋組立作業に用いられる鉄筋組立架台に関する。
【背景技術】
【０００２】
例えば道路橋の床版として使用されるプレキャストＰＣ（プレストレストコンクリート）床版の製造に際しては、複数の鉄筋を、橋軸方向に間隔をおいて多数平行に配置したり、上下方向に間隔をおいて多数平行に配置したりし、かつ、鉄筋どうしが適宜に当接されるように配置して、その当接箇所を番線等により結束することが行われている（特許文献１）。
【先行技術文献】
【特許文献】
【０００３】
【特許文献１】特開２００１−４９６１６号公報
【発明の概要】
【発明が解決しようとする課題】
【０００４】
ところで、従来、上記鉄筋どうしの結束は、複数の鉄筋を固定架台上に寝かせた状態で行っている。
【０００５】
そのため、固定架台上に寝かせた複数の鉄筋の上側から結束作業を行うことになるが、その作業中、作業者は腰を屈めておく必要があり、人体への負担が大きい。また、結束作業に結束機を用いて効率化を図ろうとしても、固定架台上に寝かせた複数の鉄筋の上側から下層にまで結束機を進入させることができず、下層にある鉄筋の結束については手作業によることになり、この点でも作業者への負担が大きく、作業効率も悪いという問題がある。
【０００６】
本発明は上述の事柄に留意してなされたもので、その目的は、鉄筋の結束を行う作業者への負担を軽減し、作業効率の向上を図ることのできる鉄筋組立架台を提供することにある。
【課題を解決するための手段】
【０００７】
上記目的を達成するために、本発明に係る鉄筋組立架台は、複数の鉄筋を保持するための保持フレームと、該保持フレームの水平面に対する傾斜角度を変更させるための角度調整装置とを具備した（請求項１）。
【０００８】
上記鉄筋組立架台において、前記角度調整装置は、前記保持フレームの下方に配されるベース体と、該ベース体の一端部と前記保持フレームの一端部とを回動可能に連結するヒンジ部と、前記ベース体における前記一端部から他端側に離れた部位と、前記保持フレームにおける前記一端部から他端側に離れた部位とに連結され、伸縮自在な伸縮部とを有していてもよい（請求項２）。
【発明の効果】
【０００９】
本願発明では、鉄筋の結束を行う作業者への負担を軽減し、作業効率の向上を図ることのできる鉄筋組立架台が得られる。
【００１０】
すなわち、本願の各請求項に係る発明の鉄筋組立架台では、例えば、鉄筋組立架台を倒伏状態にして鉄筋１を保持フレーム２に保持させた後、立て起こし状態にして鉄筋１に対する結束作業を行うようにすれば、作業者はその結束作業を行う間、ずっと腰を屈めなくてはならないということがなく、負担を軽減することができ、作業効率の向上を図ることも可能となる。
【００１１】
また、保持フレームに保持させた鉄筋を表裏から覆うような部材を保持フレーム等に設けなければ、保持フレームを立て起こし状態にすることにより、鉄筋に対して表裏両側から結束作業を行えるので、結束機を用いて全ての結束作業を行うことができ、この点でも作業効率の向上に資することになる。
【００１２】
請求項２に係る発明の鉄筋組立架台では、角度調整装置の構成の簡易化を図り、保持フレームを立て起こし状態としたときに角度調整装置が鉄筋の結束作業の邪魔になり難くすることも可能となる。
【図面の簡単な説明】
【００１３】
【図１】（Ａ）及び（Ｂ）は、保持フレームを倒伏状態及び立て起こし状態とした本発明の一実施の形態に係る鉄筋組立架台の構成を示す説明図である。
【図２】（Ａ）及び（Ｂ）は、前記鉄筋組立架台の構成を示す平面図及び側面図である。
【図３】（Ａ）〜（Ｃ）は、前記鉄筋組立架台の要部の構成を示す平面図、正面図及び側面図である。
【図４】前記鉄筋組立架台の構成を概略的に示す斜視図である。
【発明を実施するための形態】
【００１４】
本発明の実施の形態について図面を参照しながら以下に説明する。
【００１５】
図１〜図４に示す鉄筋組立架台は、前後方向、左右方向に延び上下多段に配された複数の鉄筋１を保持するための保持フレーム２と、保持フレーム２の水平面に対する傾斜角度を変更させるための角度調整装置３とを具備している。
【００１６】
保持フレーム２は、図４に示すように、二つの長辺部４と二つの短辺部５とで構成され、各長辺部４の上部には、上方に開放された切欠き溝状の鉄筋保持溝６が間隔をおいて複数設けられ、各短辺部５の上部には、上方に突出する横断面視Ｌ状のアングル（金属Ｌ型アングル）によって構成された鉄筋保持柱７（図３（Ａ）〜（Ｃ）も参照）が間隔をおいて複数設けられている。
【００１７】
ここで、図３（Ｂ）において、紙面上左右に延びる鉄筋１Ａは鉄筋保持溝６によって保持され、紙面奥行（手前）方向に延びる鉄筋１Ｂは鉄筋保持柱７に当接し位置決めされるのであり、図３（Ａ）から理解されるように、この鉄筋１Ｂに対して面接触するように鉄筋保持柱７の向きを定めておく。なお、図３（Ａ）の例では、中央から左側の鉄筋保持柱７と右側の鉄筋保持柱７とで向きを逆としてある。
【００１８】
斯かる保持フレーム２に鉄筋１を保持させるに際して、複数の鉄筋１を上下に離すために、図外のスペーサや保持台等を用いてもよい。
【００１９】
一方、角度調整装置３は、図４に示すように、保持フレーム２の下方に配されるベース体８と、ベース体８の一端部と保持フレーム２の一端部とを回動可能に連結するヒンジ部９と、ベース体８における一端部から他端側に離れた部位と、保持フレーム２における一端部から他端側に離れた部位とに連結され、伸縮自在な伸縮部（本例ではパワーシリンダ）１０とを有する。なお、伸縮部１０の両端はそれぞれ保持フレーム２及びベース体８に軸支されている。
【００２０】
本例では、図２（Ａ）及び（Ｂ）に示すように、短辺部５に平行に延びるベース体８を長辺部４の長さ方向に間隔をおいて計四つ設け、各ベース体８に対応させてヒンジ部９及び伸縮部１０を設けてある。そして、これらの伸縮部１０は、制御部１１を介した操作部１２の操作によって同時に伸縮する。
【００２１】
すなわち、伸縮部１０が最も縮んだ状態では、保持フレーム２は図１（Ａ）に示す倒伏状態をとり、伸縮部１０が伸びると同図（Ｂ）に示す立て起こし状態となる。そして、例えば、保持フレーム２を倒伏状態にして鉄筋１を保持フレーム２に保持させた後、立て起こし状態にして鉄筋１に対する結束作業を行うようにすれば、作業者はその結束作業を行う間、ずっと腰を屈めなくてはならないということがなく、負担を軽減することができ、作業効率の向上を図ることも可能となる。
【００２２】
また、保持フレーム２に保持させた鉄筋１を表裏から覆うような部材を保持フレーム２等に設けておらず、伸縮部１０を伸ばして保持フレーム２を立て起こし状態にすれば、鉄筋１に対して表裏両側から結束作業を行えるので、結束機を用いて全ての結束作業を行うことができ、この点でも作業効率の向上に資することになる。ただし、作業効率等の観点から、保持フレーム２が倒伏状態にあるときに可能な範囲で鉄筋１に対する結束作業を行ってもよいことはいうまでもない。
【００２３】
また、本例の鉄筋組立架台では、角度調整装置３の構成の簡易化を図り、保持フレーム２を立て起こし状態としたときに角度調整装置３が鉄筋１の結束作業の邪魔になり難くすることも可能となっている。
【００２４】
ここで、図１（Ｂ）及び図２（Ｂ）では、鉄筋組立架台の大きさを表すために作業者を描き込んでいるのであり、図１（Ｂ）に示すように、立て起こし状態にした鉄筋組立架台が人の背丈よりかなり高くなる場合には、それに対応する足場等を適宜に用いればよい。
【００２５】
なお、本発明は、上記の実施の形態に何ら限定されず、本発明の要旨を逸脱しない範囲において種々に変形して実施し得ることは勿論である。例えば、以下のような変形例を挙げることができる。
【００２６】
伸縮部１０は、パワーシリンダ以外に、油圧シリンダ、空圧シリンダ等の直線作動機の他、ジャッキ等の機械装置を用いて構成してもよい。また、電気式や流体作動式（油圧や圧縮空気）のものに限らず、ねじ式ジャッキのような機械式のものとしてもよい。さらに、伸縮部１０（角度調整装置３）は、図１（Ａ）及び（Ｂ）に示す２段階にのみ保持フレーム２を角度調整可能に構成されていてもよいが、任意の角度を保てるように構成してあることが好ましい。
【００２７】
上記実施の形態では、長辺部４に鉄筋保持溝６を設け、短辺部５に鉄筋保持柱７を設けているが、これに限らず、例えば長辺部４に鉄筋保持柱７を設けたり、短辺部５に鉄筋保持溝６を設けたりしてもよく、さらに、鉄筋１の保持のために鉄筋保持溝６、鉄筋保持柱７以外の構成を採用しても良い。いずれにしても、鉄筋組立架台を立て起こし状態にしたときに鉄筋１が滑落せず、また、組立後の鉄筋１を鉄筋組立架台から容易に取り外すことができるようにしてあることが望ましい。
【００２８】
なお、本明細書で挙げた変形例どうしを適宜組み合わせてもよいことはいうまでもない。
【符号の説明】
【００２９】
１    鉄筋
１Ａ  鉄筋
１Ｂ  鉄筋
２    保持フレーム
３    角度調整装置
４    長辺部
５    短辺部
６    鉄筋保持溝
７    鉄筋保持柱
８    ベース体
９    ヒンジ部
１０    伸縮部
１１    制御部
１２    操作部
【図１】
2020131644.tif 000003
【図２】
2020131644.tif 000004
【図３】
2020131644.tif 000005
【図４】
2020131644.tif 000006